(57)【特許請求の範囲】
【請求項１】
押鍵に応じて駆動されて打弦を行う打弦部材を備える鍵盤楽器の消音装置において、
鍵の配列方向に延在する部材であって、前記打弦部材の移動範囲に対して進退自在に設けられ、前記打弦部材の移動範囲に位置しているときに前記打弦部材の打弦を阻止するストッパ部材と、
前記ストッパ部材の鍵配列方向の一端と他端に各々設けられ、前記ストッパ部材の向きを保持したまま、前記鍵配列方向に直交する方向へ平行移動させることによって前記進退動作を行わせる平行クランク機構とを具備し、
前記各平行クランク機構は、位置が固定された固定部材と、前記固定部材と前記ストッパ部材との間に設けられる２つの連接部材と、前記各連接部材と前記固定部材とを回動可能に接合する２つのピン部材と、前記各連接部材と前記ストッパ部材とを回動可能に接合する２つのピン部材とによって構成され、前記各ピン部材の軸心は鍵配列方向に平行であることを特徴とする鍵盤楽器の消音装置。
【請求項２】
押鍵に応じて駆動されて打弦を行う打弦部材と、
鍵の配列方向に延在する部材であって、前記打弦部材の移動範囲に対して進退自在に設けられ、前記打弦部材の移動範囲に位置しているときに前記打弦部材の打弦を阻止するストッパ部材と、
前記ストッパ部材の鍵配列方向の一端と他端に各々設けられ、前記ストッパ部材の向きを保持したまま、前記鍵配列方向に直交する方向へ平行移動させることによって前記進退動作を行わせる平行クランク機構とを具備し、
前記各平行クランク機構は、位置が固定された固定部材と、前記固定部材と前記ストッパ部材との間に設けられる２つの連接部材と、前記各連接部材と前記固定部材とを回動可能に接合する２つのピン部材と、前記各連接部材と前記ストッパ部材とを回動可能に接合する２つのピン部材とによって構成され、前記各ピン部材の軸心は鍵配列方向に平行であることを特徴とする鍵盤楽器。
【請求項３】
前記平行クランク機構を前記ストッパ部材の一端と他端の中間において更に具備することを特徴とする請求項２記載の鍵盤楽器。
【発明の詳細な説明】
【技術分野】
【０００１】
本発明は、鍵盤楽器の消音装置及び鍵盤楽器に関する。
【背景技術】
【０００２】
鍵盤楽器に電子音源を付属させた複合鍵盤楽器においては、通常の演奏モードと消音演奏モードとを切換可能としている。通常の演奏モードでは、押鍵に伴ってハンマが打弦するのに対し、消音演奏モードでは、ハンマによる打弦を停止させる一方で、押鍵動作を検知手段で検知して、これに応じた楽音をヘッドフォンで演奏者が聴取できるようにしたり楽音に対応する信号を記録したりすることができる。
従来よりハンマの打弦による発音を防止する消音装置として、シャンクストッパが使用されている。このシャンクストッパは、長尺のレール状の部材であって、並列されたハンマシャンクを横断する方向に延在させられている。そして、演奏モードを切り換える際に、このシャンクストッパを変位させることにより、消音演奏モードでは、押鍵してもハンマシャンクがシャンクストッパに当接して停止することによって、ハンマが打弦せず、通常の演奏モードでは、ハンマシャンクがシャンクストッパに当接することなく、ハンマが打弦する。
【発明の開示】
【発明が解決しようとする課題】
【０００３】
かかるシャンクストッパは、消音演奏モードでハンマシャンクの揺動範囲に侵入し、通常演奏モードでその揺動範囲から待避しなければならないが、鍵盤楽器の限られたスペース内で、シャンクストッパの移動を確保するのは容易ではない。鍵盤楽器の内部には、ハンマアセンブリだけでなく、ダンパアセンブリも設けられているからである（以下、ハンマアセンブリ、ダンパアセンブリ、および後述するウイペンアセンブリ、レギュレーティングレールなどを総称して「アクション機構」とする）。すなわち、シャンクストッパがハンマアセンブリから待避した時に、シャンクストッパがダンパアセンブリの正常な動きを妨げないようにしなければならない。また、シャンクストッパが移動する途中でも、それぞれのアセンブリの正常な動きが確保されなければならない。これらのことは、部品の取付誤差があったとしても、必要な事項である。
【０００４】
このような観点から、シャンクストッパの移動範囲はできるだけ小さく、移動中にシャンクストッパの姿勢が変わらないのが望ましい。また、シャンクストッパを駆動するワイヤなどの部材も、アクション機構の動きを妨げないものでなければならない。
【０００５】
従来、特開平８−１２３４０３号に開示されたように、シャンクストッパをほぼ９０゜回動させてハンマシャンクの揺動範囲へ侵入・待避を行わせる機構が提案されていたが、この技術では、シャンクストッパの回動範囲が大きくなりがちであり、しかも回動中にシャンクストッパの姿勢が９０゜変わるから、以上の要請に反するおそれがあった。
この点を解決するため、シャンクストッパにワイヤを連結し、消音演奏モードでは、ワイヤでシャンクストッパを直接牽引する機構が一応考えられる。しかし、この場合、入り組んだアクション機構を避けながらワイヤを配置しなければならない。一方、消音演奏モードのためにシャンクストッパを移動させる方向は、ハンマシャンクの揺動方向である。従って、ワイヤを配置できたとしても、ワイヤによる牽引方向とシャンクストッパの移動方向とがずれてしまい、力を効率的に利用できない。また、牽引方向と移動方向がずれるから、シャンクストッパを案内するガイド機構が必須となる。
【０００６】
また、シャンクストッパとこれに対向する支持レールとをリンク機構で連結し、リンクを回動させてシャンクストッパを往復させることも考えられる。この場合には、部品数の増加を避けて製造コストを廉価にできるのが望ましい。
【０００７】
本発明は、上記の事情を考慮してなされたものであり、ストッパ部材およびその付属部材とアクション機構との干渉を防止し、かつ部品数の削減に寄与する鍵盤楽器の消音装置及び鍵盤楽器を提供することを目的とする。
【課題を解決するための手段】
【０００８】
上述の課題を解決するため、請求項１に記載の本発明は、
押鍵に応じて駆動されて打弦を行う打弦部材を備える鍵盤楽器の消音装置において、
鍵の配列方向に延在する部材であって、前記打弦部材の移動範囲に対して進退自在に設けられ、前記打弦部材の移動範囲に位置しているときに前記打弦部材の打弦を阻止するストッパ部材と、
前記ストッパ部材の鍵配列方向の一端と他端に各々設けられ、前記ストッパ部材の向きを保持したまま、前記鍵配列方向に直交する方向へ平行移動させることによって前記進退動作を行わせる平行クランク機構とを具備し、
前記各平行クランク機構は、位置が固定された固定部材と、前記固定部材と前記ストッパ部材との間に設けられる２つの連接部材と、前記各連接部材と前記固定部材とを回動可能に接合する２つのピン部材と、前記各連接部材と前記ストッパ部材とを回動可能に接合する２つのピン部材とによって構成され、前記各ピン部材の軸心は鍵配列方向に平行であることを特徴とする。
【０００９】
この構成によれば、連結部の平行クランク機構の作用により、移動中のストッパ部材の姿勢が変更するのが防止される。従って、アクション機構との干渉を回避するのが容易である。また、平行クランク機構を構成する二つの連接部材とストッパ部材のいずれを位置設定手段で駆動しても、ストッパ部材が変位するから、駆動力を効率的に利用できる。しかも、平行クランク機構には、ガイド機構は必要ない。さらに、一つの連結部には、二つの連接部材があれば足りる。このことにより、部品数を削減することが可能である。
【００１０】
上記ストッパ部材が長尺に形成されている場合にあっては、上記連結部の上記連接部材が上記ストッパ部材の長手方向を横切って揺動するように配置されていると好ましい。
鍵盤楽器においては、ストッパ部材の長手方向に沿って、ハンマアセンブリおよびダンパアセンブリが並列されている。従って、ストッパ部材の長手軸線を含むいずれかの面に沿って連結部の連接部材が揺動するようにしたのでは、連接部材またはストッパ部材がアクション機構にぶつかる可能性が高くなる、しかし、連接部材が上記ストッパ部材の長手方向を横切って揺動するように配置されていれば、連接部材が、アクション機構にぶつからないようにするのが容易である。また、アクション機構の移動の邪魔にならないように駆動部材などの付属部材を配置するのも容易である。
【００１１】
また、請求項２に記載の鍵盤楽器においては、押鍵に応じて駆動されて打弦を行う打弦部材と、
鍵の配列方向に延在する部材であって、前記打弦部材の移動範囲に対して進退自在に設けられ、前記打弦部材の移動範囲に位置しているときに前記打弦部材の打弦を阻止するストッパ部材と、
前記ストッパ部材の鍵配列方向の一端と他端に各々設けられ、前記ストッパ部材の向きを保持したまま、前記鍵配列方向に直交する方向へ平行移動させることによって前記進退動作を行わせる平行クランク機構とを具備し、
前記各平行クランク機構は、位置が固定された固定部材と、前記固定部材と前記ストッパ部材との間に設けられる２つの連接部材と、前記各連接部材と前記固定部材とを回動可能に接合する２つのピン部材と、前記各連接部材と前記ストッパ部材とを回動可能に接合する２つのピン部材とによって構成され、前記各ピン部材の軸心は鍵配列方向に平行であることを特徴とする。
【００１２】
また、請求項３に記載の鍵盤楽器においては、前記平行クランク機構を前記ストッパ部材の一端と他端の中間において更に具備することを特徴とする。
【発明の効果】
【００１４】
以上説明したように、本発明によれば、ストッパ部材およびその駆動部材などの付属部材と、ハンマアセンブリやダンパアセンブリのようなアクション機構の干渉を防止することができ、しかも消音装置を構成する部品数を削減することが可能である。
【発明を実施するための最良の形態】
【００１５】
以下、本発明に係る実施の形態について図面を参照しながら説明する。
１．実施形態の構成
１−１．全体構成
図１は、アップライトピアノの１つの鍵の動作に応じて駆動されるアクション機構を示す側断面図である。図に示すアクション機構は、鍵１０と、この鍵１０の動作により駆動されるウイペン２３と、ウイペン２３の動作により駆動されるジャック２６により駆動されて弦Ｓを打撃するハンマアセンブリ４０と、ウイペン２３の動作により駆動される弦Ｓを押さえるダンパアセンブリ５０を備える。そして、押鍵により鍵１０の後端部（図１において左端部）が上昇し、そこに固定されたキャプスタン１２がウイペン２３を押し上げるようになってる。
【００１６】
図１において、符号１６はアクション機構の骨組みとなる固定されたセンターレールを示す。センターレール１６の下端部には、各鍵１０について１個づつウイペンフレンジ２２が固定されている。ウイペンフレンジ２２の下端部には、板状のウイペン２３の一端部がピン２２ａによって回動自在に支持されている。ウイペン２３は長手方向をアップライトピアノの前後方向に向けて延在させられており、その他端部の下面にはウイペンヒール２４が固定されている。ウイペンヒール２４の下面は、キャプスタン１２に支持されている。
【００１７】
また、ウイペン２３には、上方へ向けて突出するジャックフレンジ２５が固定され、ジャックフレンジ２５の上端部には、ほぼＬ字状をなすジャック２６の屈曲部が回動自在に支持されている。ジャック２６は、斜め上方に向けて延在するジャック大２６ａと、このジャック大２６ａに対してほぼ直交するジャック小２６ｂとから構成されている。ジャック２６は、ウイペン２３に取り付けたジャックスプリング２７によりジャック小２６ｂが押し上げられることにより、図中反時計方向に付勢されている。ウイペン２６には、ジャック２６のほか、バックチェック３８、ブライドルワイヤ３９ａ、ブライドルテープ３９ｂが取り付けられて、これらによりウイペンアセンブリが構成されている。
【００１８】
一方、センターレール１６には、ブラケット３１を介して鍵盤１０の全長にわたって延在するレギュレーティングレール３２が固定されている。レギュレーティングレール３２には、スクリュー３３により上下方向の位置が調整可能とされたレギュレーティングボタン３４が取り付けられている。
【００１９】
符号４１は、ハンマアセンブリ４０の基部を構成するバットを示す。バット４１は、センターレール１６に固定されたバットフレンジ４２にセンターピン４２ａを介して回転自在に取り付けられている。バット４１には、斜め上方へ向けて延在するハンマシャンク４３が固定され、ハンマシャンク４３の上端部にはハンマ４４が固定されている。また、バット４１には、ハンマシャンク４３とほぼ直交する方向にキャッチャシャンク４５が固定され、キャッチャシャンク４５の先端部にはキャッチャ４６が固定されている。また、バット４１の左上端部には、これを時計方向へ付勢するバットスプリング４７が取り付けられている。さらに、バット４１の下面には、バットアンダーフェルト４１ａとこれを覆うバットアンダースキン４１ｂとが取り付けられ、バットアンダースキン４１ｂにはジャック大２６ａの上端面が当接している。
【００２０】
符号３６は固定されたハンマレールを示す。ハンマレール３６は、鍵盤の全長にわたって延在し、その側面には、ハンマパッド３７が取り付けられている。そして、ハンマアセンブリ４０は、バットスプリング４７の付勢力により、ハンマシャンク４３をハンマパッド３７に当接させた初期位置に保持されている。また、ウイペン２３の自由端には、初期位置へ回動復帰するハンマアセンブリ４０のキャッチャ４６を弾性的に受けとめるバックチェック３８が固定されている。さらに、バックチェック３８の隣には、ブライドルワイヤ３９ａが取り付けられ、ブライドルワイヤ３９ａの上端部とキャッチャ４６とはブライドルテープ３９ｂで連結されている。ブライドルテープ３９ｂは、ハンマアセンブリ４０の回動復帰をウイペン２３の回動復帰に追従させることにより、ハンマアセンブリ４０の跳ね返りに起因する弦Ｓの二度打ちを防止するためのものである。
【００２１】
また、センターレール１６には、ダンパフレンジ５１が取り付けられ、ダンパフレンジ５１には長手方向を上下方向へ向けたダンパレバー５２が回動自在に支持され、ダンパレバー５１の上端部には、ダンパワイヤ５３を介してダンパ５４が取り付けられている。ダンパ５４は、ダンパワイヤ５３にネジ５４ａによって固定されたホルダ５４ｂと、ホルダ５４ｂに固定された制振部５４ｃとを有する。ダンパレバー５１は、ダンパフレンジ５１に固定されたダンパレバースプリング５５によって反時計方向へ付勢され、これにより、通常はダンパ５４の制振部５４ｃが弦Ｓを押さえて他の弦Ｓが打弦されたときの共振を防止している。一方、押鍵によりウイペン２３が反時計方向へ回動すると、ウイペンに取り付けたダンパスプーン５６がダンパレバー５１をダンパレバースプリング５４の付勢力に抗して時計方向へ回転させ、ダンパ５４を弦Ｓから離間させる。その後、ハンマ４４が弦Ｓを打撃して打弦音が発生する。
【００２２】
１−２．消音装置の構成
この実施形態のアップライトピアノは、以下の構成の消音装置（消音手段）６０を備えている（図１では省略する）。図２において、符号６１ａ，６１ｂは、アップライトピアノの左右両側に配置されるフレームを示す。図２では、図中手前側すなわちアップライトピアノの左側のフレーム６１ａの一部を破断して示す。このフレーム６１ａ，６１ｂの平面部６１ｃには、板金を屈曲して成形した支持ブラケット（固定部材）６２の屈曲部６２ａがネジ６３によって固定されている。支持ブラケット６２の上方には、連結部６４が配置され、この連結部６４を介して、シャンクストッパレール（ストッパ部材）６５が移動可能に支持されている。ストッパレール６５は、ハンマシャンク４３の移動範囲に対して進退自在に設けられ、ハンマシャンク４３の移動範囲に侵入した時に、ハンマシャンク４３による打弦を阻止するようになされている。
【００２３】
図３は、ストッパレール６５全体を示す斜視図である。ストッパレール６５は、左右の支持ブラケット６２に両端が連結された長尺のレールベース６６と、レールベース６６の上にネジ止めされた三つのストッパレールセグメント６７ａ，６７ｂ，６７ｃと、レールセグメント６７ａ，６７ｂ，６７ｃにそれぞれ固定された緩衝部６８から構成されている。緩衝部６８は、ハンマシャンク４３が当接し、ハンマシャンク４３による打弦を阻止する部分である。この緩衝部６８は、発泡ウレタンで形成してもよいし、フェルトのような緩衝材を主体に形成してハンマシャンク４３で打撃される表面を合成皮革で覆うようにしてもよい。
【００２４】
レールセグメント６７ａ，６７ｂ，６７ｃは、それぞれ低音域用、中音域用、高音域用である。各レールセグメント６７ａ，６７ｂ，６７ｃは、断面Ｌ字形の部材であって、その大きい方の片がネジ６９によりレールベース６６上に締結されている。図４に示すように、各レールセグメント６７ａ，６７ｂ，６７ｃのネジ止めされる部分には、前後方向に沿って長い長孔７０が形成されており、この長孔７０にネジ６９を挿通してレールベース６６にこれを締結するようになっている。
【００２５】
従って、ネジ６９を緩めて再度締結することにより、それぞれのレールセグメント６７ａ，６７ｂ，６７ｃは、他のレールセグメント６７ａ，６７ｂ，６７ｃから独立して前後方向、すなわちハンマシャンク４３の揺動方向（図２参照）に沿って調節することができるようになっている。このようにレールセグメント６７ａ，６７ｂ，６７ｃを三つ設けたのは、消音演奏モードにおけるハンマシャンク４３の停止位置をより細かく調整できるようにするためである。すなわち、低音弦用、中音弦用、高音弦用のレールセグメント６７ａ，６７ｂ，６７ｃごとに前後の位置を調節することにより、緩衝部６８を各音域ごとに違う厚さにするような手間をかけることなく、各音域ごとに適切なタッチ感を演奏者が感ずることが可能とされている。
【００２６】
また、図３に示すように、レールベース６６は、ほぼ真っ直ぐであって水平に配置されているが、低音域用のレールセグメント６７ａと中音域用のレールセグメント６７ｂとの間の部分６６ａにおいては、レールセグメント６７ｂの低音側が上方になるように傾斜させられている。また、中音用のレールセグメント６７ｂの中でも低音に近い部分６７ｄは、低音から中音にかけて、低くなるように傾斜させられており、部分６７ｄに対応するレールベース６６および緩衝部６８の部分も同様に傾斜させられている。
【００２７】
これは、アップライトピアノにおいては、通常、低音域の弦と中音以上の弦とが交差するように配置されており、中音域の低音に近い数弦用のハンマ４４およびダンパ５４が、他の弦のハンマ４４およびダンパ５４よりも高い位置にあるため、消音装置６０の緩衝部６８とハンマシャンク４３の当接位置を適切にすると共に、その高い位置にあるダンパ５４が消音装置６０のレールベース６６等に干渉しないようにするためである。
【００２８】
図３において、符号７１は、ブラケットステーを示す。このブラケットステー７１は、中音域用のレールセグメント６７ｂと高音域用のレールセグメント６７ｃとの間に配置されており、センターレール１６（図１参照）に固定されている。ブラケットステー７１の上端には、連結部６４を介して、レールベース６６の下面に固定した取付ブラケット７２が連結されている。このようにして、ブラケットステー７１は、ストッパレール６５の中間の荷重を支持するようになっている。なお、このブラケットステー７１は、図２などでは省略する。
【００２９】
次に、上記の消音装置６０の連結部６４について説明する。まず、図４に示すように、ストッパレール６５のレールベース６６の端部６６ｂ，６６ｃには、Ｌ字形に屈曲された取付ブラケット７２がネジ７３により固定されている。取付ブラケット７２には、ネジ７３が挿通される長孔７２ａが形成されている。この長孔７２ａは、左右方向に沿って長くされており、このためネジ７３を緩めて再締結することにより、ストッパレール６５の左右の位置を調節でき、ハンマアセンブリに対して最適な位置にこれを配置できる。取付ブラケット７２の垂直部分には、ピン７４，７５によってリンク（連接部材）７６，７７の端部がそれぞれ取り付けられている。リンク７６，７７の他端部は、ピン７８，７９によって支持ブラケット６２に取り付けられている。ピン７４，７５，７８，７９は、リンク７６，７７の回転を許容するようにされている。なお、符号８０は、ピン７４，７５，７８，７９の端部を止める止め輪を示す。
【００３０】
取付ブラケット７２においてピン７４，７５の設けられる位置の間隔と、支持ブラケット６２においてピン７８，７９の設けられる位置の間隔は、それぞれ等しくされている。また、各リンク７６，７７において、ピン７４，７８の設けられる位置の間隔と、ピン７５，７９の設けられる位置の間隔は、それぞれ等しくされている。従って、取付ブラケット７２、支持ブラケット６２、リンク７６，７７およびピン７４，７５，７８，７９は、一つの平行クランク機構を構成する。
【００３１】
なお、リンク７６は、ピン７４，７８が挿通される筒状の部分同士を直線片で連結した形状であり、リンク７７は、ピン７５，７９が挿通される筒状の部分同士を直線片で連結した形状に加えて、ピン７９に対応する位置からほぼ直交する方向に突出する突出部８１を有している。この突出部８１の先端には、断面Ｃ字形の係合部８２が設けられている。すなわち、リンク７７は、ほぼＬ字形のレバーになされている。
【００３２】
図２に示すように、この連結部６４には、ねじりコイルバネ８３が設けられている。ねじりコイルバネ８３の両端部は、円弧状に湾曲させられており、それぞれリンク７６におけるピン７４の周りの部分と、リンク７７におけるピン７９の周りの部分に脱落しないように係止されている。また、ねじりコイルバネ８３の中央の巻回部分には、リンク７６におけるピン７８の周りの部分が挿入されている。このようにして、ねじりコイルバネ８３は、この平行クランク機構に対して、ピン７４，７８，７９のなす角度を一定に維持しようとする付勢力を与えている。なお、ねじりコイルバネ８３をどのピンの周りに配置するかは、本実施形態には限定されず任意である。
【００３３】
以上は、ストッパレール６５の両端における連結部６４の構成であるが、図３に示す取付ブラケット７１の上端における連結部６４もほぼ同様であって、支持ブラケット６２ではなくブラケットステー７１の上端に直接、連結部６４が取り付けられる点と、ストッパレール６５の下面に取付ブラケット７２が接合されている点が異なるだけである。このようにして、三つの連結部６４が設けられている。
【００３４】
次に、図５は、消音装置６０を駆動する駆動機構９０の概略を示す側面図である。同図に示すように、リンク７７の突出部８１の係合部８２の孔には、ワイヤ（駆動部材）９３の上端部に設けられた係合部９３ａが挿入されており、これにより、ワイヤ９３は係合部８２に対して回転自在に係止されている。ワイヤ９３は、シース１０１内に上下に往復動可能なように挿通させられており、シース１０１は支持ブラケット６２に支持されている。
シース１０１は、支持ブラケット６２から下方に延在させられており、さらにアップライトピアノの棚板１０２に形成された孔１０３を通過させられ、その支持ブラケット６２と反対側の端部は、棚板１０２の下面に取り付けられた別のブラケット１０４に固定されている。そして、ワイヤ９３は、ブラケット１０４のある位置より下方では、シース１０１から露出されており、その下方の端部には、係合部材１０５が固定されている。係合部材１０５にはリング１０６が形成されている。
【００３５】
符号１００は、アップライトピアノの前板１７から突出した消音ペダルを示す。この消音ピアノ１００には、上端が円弧状に湾曲させられたフック１０７が立設されており、このフック１０７は、係合部材１０５のリング１０６に引掛けられている。そして、この構成のもとに、消音ペダル１００を踏み込むことによりその動作がワイヤ９３を介して、リンク７７に伝達され、リンク７６，７７が回転して、緩衝部６８が図２に示す待避位置からハンマシャンク４３の揺動範囲に侵入するようになっている。
なお、図示はしないが消音ペダル１００にはラチェット機構が設けられ、一度踏み込むとラチェット機構の働きにより消音ペダル１００が戻らないように固定されるようになっている。また、消音ペダル１００を再度踏み込むとラチェット機構が解除され、ねじりコイルバネ８３の弾性力により連結部６４を含む平行クランク機構が回動し、緩衝部６８が待避位置に戻るようになっている。
【００３６】
この駆動機構９０においては、全ての連結部６４のリンク７７にワイヤ９３を係合し、全ての連結部６４を同期して駆動するようにしてもよい。ただし、本実施形態では、中間のブラケットステー７１の上端の連結部６４には駆動力を与えず、両端の連結部６４のリンク７７にワイヤ９３を係合し、両端の連結部６４だけに同期して駆動力を与えている。図示のように、棚板１０２の下面に取り付けられたブラケット１０４には、低音側の連結部６４から延びるシース１０１だけでなく、高音側の連結部６４から延びるシース１０１も固定されており、両方のシース１０１から露出したワイヤ９３の下端の係合部材１０５が、ともにフック１０６に掛けられている。
【００３７】
なお、この消音ペダル１００は、上述したように連結部６４と連結されているため、消音時と通常時における連結部６４の回動範囲、ひいてはストッパレール６５の位置は、消音ペダル１００のストロークによって規定される。
以上の消音装置は、図５の駆動機構９０を含めて、アップライトピアノを元々消音ピアノとして製造する場合に付属させることも可能であるし、通常のアップライトピアノに後から付属させることも可能である。この駆動機構９０は、非常に簡単な構成であり、これを設ける位置もかなり自由に決めることができる。従って、取付作業が非常に簡単で便利である。
【００３８】
図６は、上記の消音装置６０が配設されたアップライトピアノを示す正面図である。同図において、ＫＢは多数の鍵１０により構成された鍵盤、Ｌは鍵盤ＫＢの蓋、Ｂはアップライトピアノの上部筐体を示す。上部筐体Ｂの内部には、上記のアクション機構および消音装置６０が配設されている。
【００３９】
図７は、上記の消音装置の変更例が配置されたアップライトピアノを示す正面図である。図２ないし図６に示す消音装置では、両端の連結部６４にワイヤ９３を連結して駆動しているが、図７の変更例では、高音側端部の連結部６４ではなく、中間のブラケットステー７１の上端の連結部６４にワイヤ９３を連結して駆動している。このように駆動力を与える箇所の間隔を狭めることによって、ストッパレール６５に加わるねじりモーメントを軽減することができる。換言すれば、小さい駆動力でもストッパレール６５を駆動することができる。
【００４０】
アップライトピアノの上部筐体Ｂの内部には、多数の弦Ｓの両端を掛け渡す鋳物製のフレームが配置されている。このフレームには、縦方向に延びる４本のリブが演奏者側に向けて形成されている。４本のリブは、低音側から順次、低音リブ、次低音リブ、次高音リブ、高音リブと呼ばれる。鍵盤ＫＢの奥側（演奏者と反対側）では、これらのリブと横方向に間隔をおいて鍵１０の後端部が配置されている。従って、次高音リブと、次高音リブの両側の鍵１０との間には、隙間が設けられている。ブラケットステー７１の上端の連結部６４の係合部８２（図２参照）は、次高音リブと次高音リブの両側の鍵１０との隙間のうち大きい方の隙間の真上にあり、ブラケットステー７１の上端の連結部６４の係合部８２に連結されたワイヤ９３は、この大きい方の隙間を挿通させられている。このようにして、ワイヤ９３は、アクション機構（鍵１０を含む）にぶつからないようにされている。
【００４１】
また、図７においては、低音域用のレールセグメント６７ａの下方にさらにもう一つの支持ブラケット６２を設け、この支持ブラケット６２とレールセグメント６７ａとを連結部６４で連結している。このように連結部６４の個数を増加することにより、連結部６４に加わる荷重を軽減している。
【００４２】
図８は、消音装置の駆動機構の他の例を示す概略図である。この駆動機構９０Ａは、１本のワイヤではなく、リンク機構を利用した複数本のワイヤで駆動力の伝達を行う。同図に示すように、リンク７７の突出部８１の係合部８２の孔には、ワイヤ９３に代えたワイヤ（駆動部材）９０Ｂの上端に設けられた係合部が挿入されており、これにより、ワイヤ９０Ｂは係合部８２に対して回転自在に係止されている。
アップライトピアノの内部においては、かぎ状に屈曲した一対のリンクプレート９４，９４が横方向に互いに離間してピン９４ａ，９４ａにより回転自在に支持されている。そして、図中左側のリンクプレート９４の左端部にはワイヤ９０Ｂの直角に屈曲された下端部が回転自在に取り付けられている。また、リンクプレート９４，９４の下端部には、ワイヤ９５の両端部が回転自在に取り付けられている。
【００４３】
図中右側のリンクプレート９４の左端部には、途中にカップリング９８を介装させたワイヤ９９の上端部が回転自在に接続され、ワイヤ９９の下端部はアップライトピアノの前板１７から突出した消音ペダル１００に回転自在に接続されている。そして、この構成のもと、消音ペダル１００を踏み込むことによりその動作がワイヤ９９，９５，９０Ｂおよびリンクプレート９４，９４を介して、リンク７７に伝達され、リンク７６，７７が回転して、緩衝部６８が図２に示す待避位置からハンマシャンク４３の揺動範囲に侵入するようになっている。
なお、図示はしないが消音ペダル１００には、上述と同様のラチェット機構が設けられている。この駆動機構９０Ａもまた、アップライトピアノを元々消音ピアノとして製造する場合に付属させることも可能であるし、通常のアップライトピアノに後から付属させることも可能である。
【００４４】
２．実施形態の動作
２−１．通常演奏モードでの動作
次に、上述した構成によるこの実施形態の動作について説明する。
押鍵が行われると、ウイペン２３（図１参照）はキャプスタン１２によって突き上げられ、ピン２２ａを中心として反時計方向に回動する。これにより、ジャック大２６ａがバット４１を突き上げてハンマアセンブリ４０を反時計方向へ回転させ、ハンマ４４が押鍵された鍵１０に対応する弦Ｓを打撃する（図２仮想線参照）。この打弦操作時において、ジャック２６は、その回動途中にジャック小２６ｂがレギュレーティングボタン３４に当接することによりそれ以上の反時計方向への回動が阻まれる。一方、ウイペン２３は回動を継続しているため、ジャック２６は、レギュレーティングボタン３４を支点としてウイペン２３に対して時計方向へ相対的に回動し、これにより、ジャック大２６ａの上端面がバット４１の下面から図中右方向へ逃げ、バット４１との非当接位置に移動する。そして、ハンマ４４による打弦後のハンマアセンブリ４０の回動復帰の動作は、キャッチャー４６がバックチェック３８に当接することにより一時的に停止され、その間にジャック２６は、鍵１０の復帰動作に伴うウイペン２３の回動復帰に連動し、ジャック大２６ａの上端部は再びバット４１の下部に入り込み、次の打弦動作を可能にする。
【００４５】
また、押鍵によりウイペン２３が反時計方向へ回動すると、ウイペンに取り付けたダンパスプーン５６がダンパレバー５１をダンパレバースプリング５４の付勢力に抗して時計方向へ回転させ、鍵１０に対応するダンパ５４を弦Ｓから離間させる（図２仮想線参照）。その後、ハンマ４４が弦Ｓを打撃して打弦音が発生する。なお、演奏者がラウドペダルを踏んだ場合には、全てのダンパ５４が弦Ｓから一斉に離れるが、このための構成については、説明を省略する。
【００４６】
図２はこの通常演奏モードを示しており、消音装置６０の緩衝部６８は、ハンマアセンブリ４０のハンマシャンク４３に当接しない位置に待避している。また、この待避位置において、ダンパ５４が仮想線で示すように弦Ｓから離間しても、消音装置６０のストッパレール６５は、ダンパ５４に当接しない位置にある。図９は、この状態を見やすくするため、消音装置６０の支持ブラケット６２、連結部６４などを省略して示す。
【００４７】
２−２．消音演奏モードでの動作
次に、消音演奏モードにするには、消音ペダル１００を踏み込むことにより、ワイヤ９３または９０Ｂを引き下げる（図５または図８参照）。これにより、リンク７６，７７がその平行状態を保ったまま図中時計方向に回動し、ストッパレール６５に取り付けられた緩衝部６８が初期の向きを保ったまま図の右方向つまりアップライトピアノの前方に移動する。図１０は、この移動後の状態を示す。
【００４８】
この状態で押鍵が行われると、ウイペン２３はキャプスタン１２によって突き上げられ、ピン２２ａを中心として時計回りに回動する（図１参照）。これにより、ジャック大２６ａがバット４１を突き上げてハンマアセンブリ４０を反時計回りの方向へ回転させる。次に、ジャック小２６ｂがレギュレーティングボタン３４に当接することにより、ジャック大２６ａの上端面がバット４１の下面から図１中右方向へ逃げる。その間、ハンマアセンブリ４０は慣性力で回動を続けるが、ハンマ４４が弦Ｓに当たる手前でハンマシャンク４３が消音装置６０の緩衝部６８に当接し（図１０仮想線参照）、時計回りの方向へ跳ね返される。その後のハンマアセンブリ４０等の復帰動作は通常演奏の場合と同じである。
【００４９】
なお、ダンパ５４の動作については、通常演奏モードと異なるところがない。消音演奏モードにおいては、消音装置６０のストッパレール６５が、アップライトピアノの前方に移動しており、図９に示す通常演奏モードよりもダンパ５４から離れた位置にあるから、ダンパ５４がストッパレール６５に当接することはない。
【００５０】
３．消音装置の作用効果
上記構成の消音装置６０においては、連結部６４の平行クランク機構の作用により、移動中のストッパレール６５および緩衝部６８の姿勢が変更するのが防止される。従って、例えばストッパレール６５を９０゜回動させる場合に比べて、ストッパレール６５などがハンマアセンブリ４０やダンパアセンブリ５０に干渉するのを容易に回避することができる。これによって、アップライトピアノのフレームやアクション機構などの部品に組立上の誤差があったとしても、その影響を受けることが極めて少ない。しかも、平行クランク機構には、ガイド機構は必要ない。さらに、一つの連結部６４には、二つのリンク７６，７７があれば足りる。このことにより、部品数を削減することが可能である。
【００５１】
このように、連結部６４が平行クランク機構をなす場合には、二つのリンク７６，７７とストッパレール６５のいずれを駆動しても、ストッパレール６５が変位する。従って、駆動する部材を配置する位置やその向きを選択する余地が大きい。これにより、アクション機構を避けて、なおかつ効率的に平行クランク機構に駆動力を与えることが容易に行える。
例えば、本実施形態では、リンク７７に設けた突出部８１の先端の係合部８２にワイヤ９３または９０Ｂを係合しており、図２および図１０に示すように、突出部８１の回動方向に対してほぼ直交する方向にワイヤ９３または９０Ｂを往復動するようにしている。従って、ワイヤ９３または９０Ｂの駆動力がリンク７７に効率的に伝達される。また、係合部８２がリンク７７に一体的に成形されており、これによって部品数の増加を防止できる。
【００５２】
また、アップライトピアノにおいては、ストッパレール６５の長手方向に沿って、ハンマアセンブリ４０およびダンパアセンブリ５０が並列されている。従って、ストッパレール６５の長手軸線を含むいずれかの面に沿って連結部６４のリンク７６，７７が揺動するようにしたのでは、リンク７５，７７またはストッパレール６５がアクション機構にぶつかる可能性が高くなる、しかし、本実施形態では、リンク７６，７７がストッパレール６５の長手方向を横切って揺動するように配置されているから、リンク７６，７７が、アクション機構にぶつからないようにするのが容易である。また、アクション機構の移動の邪魔にならないようにワイヤ９３または９０Ｂなどの付属部材を配置するのも容易である。
【００５３】
特に、図２ないし図６に示す実施形態では、両端の連結部６４のリンク７７にワイヤ９３または９０Ｂを係合し、両端の連結部６４だけに同期して駆動力を与えている。従って、ワイヤ９３または９０Ｂがアクション機構の移動の邪魔になるおそれを完全に排除することができる。なお、部品数削減のため、一つの連結部６４だけにワイヤ９３または９０Ｂで駆動力を与えるようにすることも考えられる。
【００５４】
また、図３に示すブラケットステー７１を省略し、連結部６４をストッパレール６５の長手方向の両端にだけ設けてもよい。この場合、合計四つのリンク７６，７７だけでストッパレール６５の支持および移動を行わせることができ、さらに部品数の削減に貢献する。また、鍵１０の数に応じて多数配設されたアクション機構の外側に連結部６４を設けることができ、アクション機構の移動の邪魔にならないようにワイヤ９３または９０Ｂやその他の付属部材を配置するのがさらに容易である。
【００５５】
逆に、図７に示すように、連結部６４の個数を増加すれば、一つの連結部６４に加わる荷重を軽減することが可能である。また、ストッパレール６５の両端に駆動力を与えるのではなく、図７に示すように、駆動力を与える箇所の間隔を狭めることによって、小さい駆動力でストッパレール６５を駆動することができる。さらに、ブラケットステー７１の上端の連結部６４を駆動するワイヤ９３を上述のように配置することによって、このワイヤ９３がアクション機構にぶつからないようにすることが可能である。
【００５６】
さらに、上記のストッパレール６５の位置の設定は、駆動機構９０（または９０Ａ）およびねじりコイルバネ８３によって行っているが、その一方であるねじりコイルバネ８３は、連結部６４内に配置されている。これによって、アクション機構の移動範囲内にならないように付勢部材を配設するのが容易である。しかも、ねじりコイルバネ８３は大きく露出していないから、視覚上、美観を損ねることもない。また、引張りバネのように、フレームなどの連結部６４以外の部分に一部を係止させる必要もない。従って、消音装置６０をアップライトピアノに組み付ける作業が簡単である。また、簡単に入手可能な部品で付勢部材を構成するのが可能である。
【００５７】
４．変更例
なお、上記の実施形態では、ラチェット機構を付属させた消音ペダル１００によって、ワイヤ９３または９０Ｂを駆動してストッパレール６５を移動させるようにしているが、このような構成でなくても、例えば操作摘みまたはレバーを回動させてストッパレール６５を連動させるようにしてもよい。また、例えば、連結部６４をそれぞれソレノイドなどの電気的駆動手段で駆動可能にし、電気的駆動手段を同期通電してもよい。
また、本発明は、アップライトピアノに限定されず、グランドピアノに適用することも可能である。
【図面の簡単な説明】
【００５８】
【図１】本発明に係る消音装置が設けられるアップライトピアノの１つの鍵の動作に応じて駆動されるアクション機構を示す側断面図である。
【図２】本発明の一実施形態に係る消音装置を設けた上記アップライトピアノの通常演奏モードのアクション機構を示す側断面図である。
【図３】上記消音装置のストッパレールを示す斜視図である。
【図４】上記消音装置の連結部およびその付近の詳細を示す斜視図である。
【図５】上記消音装置の駆動機構を示す概略図である。
【図６】上記消音装置が配設されたアップライトピアノを示す正面図である。
【図７】上記消音装置の変更例が配置されたアップライトピアノを示す正面図である。
【図８】上記消音装置の駆動機構の他の例を示す概略図である。
【図９】支持ブラケット、連結部などを省略した図２の上記通常演奏モードのアクション機構を示す側断面図である。
【図１０】消音演奏モードの上記アクション機構を示す側断面図である。
【符号の説明】
【００５９】
１０…鍵、４０…ハンマアセンブリ（打弦部材）、４３…ハンマシャンク、４４…ハンマ、５０…ダンパアセンブリ、５４…ダンパ、６０…消音装置、６２…支持ブラケット（固定部）、６４…連結部、６５…ストッパレール（ストッパ部材）、６６…レールベース、６８…緩衝部、７４，７５，７８，７９…ピン（連接部材）、８０…止め輪、８１…突出部、８２…係合部、８３…ねじりコイルバネ（付勢部材）、９０,９０Ａ…駆動機構、９３,９０Ｂ…ワイヤ（駆動部材）、Ｓ…弦。
【図１】
0003714349.tif 000002
【図２】
0003714349.tif 000003
【図３】
0003714349.tif 000004
【図４】
0003714349.tif 000005
【図５】
0003714349.tif 000006
【図６】
0003714349.tif 000007
【図７】
0003714349.tif 000008
【図８】
0003714349.tif 000009
【図９】
0003714349.tif 000010
【図１０】
0003714349.tif 000011